(57)【要約】【課題】ポケットティッシュをそのまま収納し、しかも、ティッシュペーパーを摘み易く一枚ずつ簡単に引き出すことができるようにしたポケットティッシュケースを提供する。【解決手段】一側面に開かれる引出口Ｍを山折して二つ折りした状態でポケットティッシュＰが収納される空間部８を有し引出口Ｍと対向する側にティッシュ取出口７を設けたケース本体１と、空間部８内に配置され二つ折りされたポケットティッシュＰをその他側面側から支持する支持部材１６とを備え、支持部材１６は弾発性を有し、支持部材１６によりポケットティッシュＰはその引出口Ｍがケース本体１のティッシュ取出口７部位に近づくように付勢される。【選択図】図７
2007223646.tif 000002
【特許請求の範囲】
【請求項１】
一側面に開かれる引出口を山折して二つ折りした状態でポケットティッシュが収納される空間部を有し該引出口と対向する側にティッシュ取出口を設けたケース本体と、
前記空間部内に配置され二つ折りされた前記ポケットティッシュをその他側面側から支持する支持部材とを備え、
前記支持部材は弾発性を有し、前記ポケットティッシュは前記支持部材によりその引出口が前記ケース本体のティッシュ取出口部位に近づくように付勢されることを特徴とするポケットティッシュケース。
【請求項２】
前記支持部材は弾性索条からなり、前記空間部に二つ折りした状態で収納される前記ポケットティッシュをその他側面側から受け止める屈曲受板を前記支持部材に掛止するようにした請求項１記載のポケットティッシュケース。
【請求項３】
前記ティッシュ取出口は二つ折りした前記ポケットティッシュが出し入れできる大きさである請求項１又は２記載のポケットティッシュケース。
【発明の詳細な説明】
【技術分野】
【０００１】
本発明は、ポケットティッシュをそのまま収納し、該ポケットティッシュ内のティッシュペーパーを取出して使用できるようにしたポケットティッシュケースに関するものである。
【背景技術】
【０００２】
従来、街頭などの街なかでポケットティッシュを配っているが、このポケットティッシュは通常２０枚程度のティッシュペーパーを折り畳んで重ね合成樹脂からなる袋状のティッシュペーパー入れに入れて封止している。このポケットティッシュの一側面すなわちティッシュペーパー入れの一側面には、その中央部に横断状に引き剥がし線が設けられ、その両側を互いに反対方向へ引くことにより該引き剥がし線が簡単に破れて引出口が形成されるようになっている。そして、このようなポケットティッシュは、携帯に便利であることから、衣服のポケットやカバンの中に収納して使用されている。一方、前記ポケットやカバンの中に収納されないポケットティッシュは、例えば部屋の棚や机などの上に放置されたり、適宜大きさの箱の中に無造作にしまわれている。
【０００３】
前記のように、ポケットティッシュを部屋の棚や机の上に放置したり箱の中に無造作にしまっておくことは整頓されず使い勝手が悪い。そこで、例えば、複数個のティッシュペーパーが入ったままのポケットティッシュを多段に積み重ねた状態で収納しておき、最上段のポケットティッシュから順にティッシュペーパーを引き出すことができるようにしたポケットティッシュケースがある。
【０００４】
更に詳しく説明すると、前記ポケットティッシュケースは、上面の蓋に指を差し込むことができる程度の大きさのティッシュ取出口を設けたケース本体内に複数のポケットティッシュを平置きのまま多段に積み重ねて収納するケース本体と、ケース本体の下部に配置され受け板を介して多段に積み重ねられた前記ポケットティッシュを下方から押し上げるように作用するバネとからなっている（例えば、特許文献１参照。）。
【特許文献１】実用新案登録第３０８５７８１号公報（第４−５頁、図１、図２）
【発明の開示】
【発明が解決しようとする課題】
【０００５】
前記特許文献１のポケットティッシュケースにあっては、バネの作用によってポケットティッシュを常に上方へ押し上げていることから、一枚ずつティッシュペーパーを取り出すには便利である。しかしながら、前記各ポケットティッシュは平置きして積み重ねられティッシュペーパー全体が平坦になっている。しかも、最上段のポケットティッシュの上面がケース本体の蓋の下面にぴったりと当接した状態でバネにより付勢されているので、ティッシュ取出口から指先を入れティッシュペーパーを取り出そうとしても、ポケットティッシュの引出口が開きにくくそのティッシュペーパーを摘んで引き出すことが難しい。特に、バネの弾発力が強いとティッシュペーパーが引き出す途中で破れてしまうという不具合もある。
【０００６】
そこで、本発明は上記課題を解決すべくなされたもので、ポケットティッシュをそのまま収納し、しかも、ティッシュペーパーを摘み易く一枚ずつ簡単に引き出すことができるようにしたポケットティッシュケースを提供することを目的とするものである。
【課題を解決するための手段】
【０００７】
かかる目的を達成するため本発明に係るポケットティッシュケースは、次の構成からなる。すなわち、１個のポケットティッシュを使用する場合、ポケットティッシュケースは、一側面に開かれる引出口を山折して二つ折りした状態でポケットティッシュが収納される空間部を有し該引出口と対向する側にティッシュ取出口を設けたケース本体と、前記空間部内に配置され二つ折りされた前記ポケットティッシュをその他側面側から支持する支持部材とを備え、前記支持部材は弾発性を有し、前記ポケットティッシュは前記支持部材によりその引出口が前記ケース本体のティッシュ取出口部位に近づくように付勢される構成としている。
【０００８】
この際、前記支持部材は弾性索条からなり、前記空間部に二つ折りした状態で収納される前記ポケットティッシュをその他側面側から受け止める屈曲受板を前記支持部材に掛止することが好ましい。
【０００９】
また、複数個のポケットティッシュを使用する場合、ポケットティッシュケースは、一側面に開かれる引出口を山折して二つ折りした状態で複数個のポケットティッシュが重ねて収納される空間部を有し最も表側に位置するポケットティッシュの引出口と対向する側にティッシュ取出口を設けたケース本体と、前記空間部内に配置され二つ折りされた前記複数個のポケットティッシュをその最も奥側に位置するポケットティッシュの他側面側から支持する支持部材とを備え、前記支持部材は弾発性を有し、前記各ポケットティッシュは前記支持部材によりその引出口が前記ケース本体のティッシュ取出口部位に近づくように付勢される構成としている。この場合、収納するポケットティッシュの個数により前記空間部すなわちケース本体の大きさを設定することになる。
【００１０】
この場合も、前記支持部材は弾性索条からなり、前記空間部に二つ折りした状態で重ねて収納される前記複数個のポケットティッシュをその最も奥側に位置するポケットティッシュの他側面側から受け止める屈曲受板を前記支持部材に掛止することが好ましい。
【００１１】
前記いずれの場合も、前記ティッシュ取出口は二つ折りした前記ポケットティッシュが出し入れできる大きさであることが好ましい。
【００１２】
本発明に係るポケットティッシュケースは、立方体、直方体、円筒体、楕円筒体、半球体等その外形形状は所望の形状が選ばれ、また、内部に１個、２〜３個又はそれ以上の複数個のポケットティッシュが収納できれば、外周面全体が側板で囲われた箱型でなくても良く、例えば底板がなっかたり、側板が一部なくても良い。更に、ポケットティッシュケースの材質は、製作コストの面から厚紙が採用されるが、強度・耐久性を重視すれば、他に合成樹脂材、金属、木、セラミックスまたはこれらの組み合わせにより成形するようにしても良い。
【発明の効果】
【００１３】
請求項１記載のポケットティッシュケースは、ティッシュペーパーが入ったままポケットティッシュをケース本体に収納するので、その収納が簡単である。しかも、ポケットティッシュがその引出口を山折し二つ折りした状態で収納され、前記引出口と対向する側にティッシュ取出口を設けてティッシュペーパーの折曲部位が指先で容易に摘めるようにしたので、ティッシュペーパーが非常に摘み易い。よって、前記引出口がしっかり開くこともあって、ティッシュペーパーを指先で軽く摘んで一枚ずつ引き出せ簡単に取り出すことができ使い勝手が良いという効果がある。
【００１４】
また、請求項２記載のポケットティッシュケースのように、支持部材を弾性索条とし、空間部に二つ折りした状態で収納されたポケットティッシュをその他側面側から受け止める屈曲受板を前記支持部材に掛止するようにすれば、ポケットティッシュは指先で押してもグラツキが少なくティッシュペーパーの取出動作が安定して行えるという効果がある。
【００１５】
更に、請求項３記載のポケットティッシュケースのように、ティッシュ取出口を二つ折りしたポケットティッシュが出し入れできる大きさにすれば、ティッシュペーパーが入ったポケットティッシュをそのまま収納でき、ケース本体へのポケットティッシュの収納や補充が容易に行えるという効果がある。
【発明を実施するための最良の形態】
【００１６】
以下、本発明に係るポケットティッシュケースの実施の形態を図面に基づき詳しく説明する。まず、１個のポケットティッシュを使用する場合を説明する。図１は本発明に係るポケットティッシュケースの斜視図、図２は同分解斜視図、図３は図１のＸ−Ｘ線断面図、図４は図１のＹ−Ｙ線断面図である。このポケットティッシュケースＡは厚紙により成形され、ケース本体１と該ケース本体１内に収められ後記する支持部材１６を張設するための内枠体２から構成される。
【００１７】
前記ケース本体１は、所定の高さを有する楕円筒状の側板３を有し、該側板３の開放した上面と下面にそれぞれ同じ楕円形状の上板４と下板５が塞ぐようにして被着される。更に詳しく説明すると、側板３の上端縁と下端縁にいずれも内側へ円弧状に屈曲される上カーブ部６ａと下カーブ部６ｂが設けられる。そして、上板４は接着剤によりその外周縁部が上カーブ部６ａの内側に接着され、下板５はその外周縁が下カーブ部６ｂの内側に乗って保持され、取り外すことができるようになっている。また、上板４には、その長径方向に沿って横長のティッシュ取出口７を形成するためのミシン目線７ａが設けられ、該ミシン目線７ａにより囲われる部分を剥がすことにより、図５に示すようなティッシュ取出口７が形成される。
【００１８】
ケース本体１は、その内部に後記する１個のポケットティッシュＰがその一側面に開かれる引出口Ｍを山折して二つ折りした状態で収納される大きさの空間部８が形成される。詳しくは、ケース本体１はポケットティッシュＰが１乃至３個入る大きさに成形され、空間部８の幅はポケットティッシュＰが二つ折りされた状態でそのまま保持されるように設定される。また、前記上板４のティッシュ取出口７は、ポケットティッシュＰ内のティッシュペーパーＴが取り出せる大きさであれば適宜大きさに設定しても良いが、ポケットティッシュＰが二つ折りされた状態でケース本体１内に収納できる大きさ、形状に設定することが好ましい。
【００１９】
前記内枠体２は短冊状に形成され、長手方向に沿った一端からその長手方向に対して直交する第１乃至第４折曲線９ａ，９ｂ，９ｃ，９ｄを介し、掛止片部１０ａ、中間片部１１ａ、掛止片部１０ｂ、中間片部１１ｂ、糊代片部１２がそれぞれこれらの順に従って連接されている。両掛止片部１０ａ，１０ｂは同じ大きさであり、両中間片部１１ａ，１１ｂも同じ大きさである。この内、掛止片部１０ａ，１０ｂよりも中間片部１１ａ，１１ｂの方が長い。
【００２０】
前記内枠体２における一端の掛止片部１０ａの外側縁に係合片１３が突設され、他端側の第４折線９ｄに前記係合片１３に対応位置して該係合片１３が挿入される係合スリット１４が設けられる。また、各掛止片部１０ａ，１０ｂの上下両端縁のほぼ中間位置にそれぞれ対向して掛止凹部１５，１５が凹設される。この内枠体２は、前記一端の掛止片部１０ａの内側に糊代片部１２を当接すると共に係合片１３を係合スリット１４に挿入し係合させることにより組立てられ、上下両端面が開放される角筒状をなす。なお、前記糊代片部１２はそのままでも良いが、該糊代片部１２の外面に接着剤を塗布し掛止片部１０ａの内面に接着するようにしても良い。
【００２１】
組立てられた前記内枠体２の対向する上下の両掛止凹部１５，１５間には、支持部材としての弾性索条である輪ゴム１６が掛止して張設される。そして、該内枠体２をケース本体１内に入れた場合、図３、図４に示すように内枠体２がケース本体１における側板３の内周面に沿うようにして配置される。また、輪ゴム１６の上張部分１６ａは、上板４に開設されたティッシュ取出口７に対向位置しそのやや内側に配置されている。これは、ポケットティッシュＰを上張部分６ａに掛止したとき、該ポケットティッシュＰの引出口Ｍをティッシュ取出口７の部位に近づけさせるためである。
【００２２】
前記輪ゴム１６の上張部分１６ａには屈曲受板１７が掛止される。この屈曲受板１７は厚紙により長方形状に成形されており、その短手方向の中央部に設けられた折れ線１８により二つに折曲されている。そして、前記輪ゴム１６の上張部分１６ａには、折れ線１８の谷折目側が受けられる。これにより、二つ折りして収納されたポケットティッシュＰをその他側面側から受け止めることになる。
【００２３】
ポケットティッシュＰは、折り畳まれた複数枚（例えば、２０枚）のティッシュペーパーＴを重ね、これを合成樹脂製袋からなる長方形状のティッシュペーパー入れＢに入れて封止している。また、該ティッシュペーパー入れＢの一側面には、その中央部に横断状にミシン目などの引き剥がし線（図示せず。）が設けられ、その両側を互いに反対方向へ引くことにより該引き剥がし線が簡単に破れて引出口Ｍが形成されるようになっている。
【００２４】
そこで、前記ケース本体１の開放した下面から該ケース本体１内に輪ゴム１６を掛止した内枠体２を挿入し、その下面に塞ぐようにして下板５を被着する。前記輪ゴム１６は鉛直面内すなわちケース本体１上面のティッシュ取出口７と直交する面内で張設される。これにより、ポケットティッシュケースＡが成形される。
【００２５】
本発明に係るポケットティッシュケースＡは上記構成からなり、次にその使用方法を説明する。まず、ポケットティッシュケースＡの上板４におけるミシン目線に沿って切れ目を入れ、そのミシン目線で囲まれる部位を切り離してティッシュ取付口７を開設する。
【００２６】
一方、ティッシュペーパーＴを収納したポケットティッシュＰの一側面に設けられる引き剥がし線の両側を互いに反対方向へ引いて引出口Ｍを開く。この場合、引出口Ｍの長手方向の両端部を少し大きく破断しておくことが好ましい。そして、その引出口Ｍを外側に位置させると共に該引出口Ｍを山折してポケットティッシュＰを二つ折りする。更に、図５に示すようにポケットティッシュＰをティッシュ取出口７を介しその引出口Ｍがティッシュ取出口７側に位置するようにしてケース本体１内に収納する。
【００２７】
前記二つ折りされたポケットティッシュＰは、その他側面側から輪ゴム１６の上張部分１６ａにより支持されると共に屈曲受板１７により受け止められる。このようにしてポケットティッシュＰを収納したポケットティッシュケースＡは、例えば室内の机の上に置いて使用される。
【００２８】
この場合、図６、図７に示すように引出口Ｍと対向する側にティッシュ取出口７が設けられティッシュペーパーＴの折曲部位ｔが指先で容易に摘めるようになっているので、ティッシュペーパーＴを非常に摘み易い。よって、前記引出口Ｍがしっかり開くこともあって、ティッシュペーパーＴを指先で軽く摘んで一枚ずつ引き出せ簡単に取り出すことができる。この場合、ポケットティッシュＰが１個であっても、輪ゴム１６により該ポケットティッシュＰはその引出口Ｍがケース本体１のティッシュ取出口７部位に近づくように付勢されている。
【００２９】
また、図８に示すようにティッシュペーパーＴが少なくなってきた場合も、輪ゴム１６の上張部分１６ａの弾発性によりポケットティッシュＰがティッシュ取出口７側へ付勢されているので、最後のティッシュペーパーＴまで簡単に取り出せるようになる。しかも、ポケットティッシュＰは屈曲受板１７により受け止められるので、指先で押してもグラツキが少なくティッシュペーパーＴの取出動作が安定して行える。
【００３０】
ポケットティッシュＰのティッシュペーパーがなくなれば、新しいポケットティッシュＰを初めのように引出口Ｍを開き二つ折りした状態でティッシュ取出口７を介してそのまま空間部８に収納する。よって、例えばティッシュペーパー入れＢの中からいちいちティッシュペーパーＴを取り出してこれらティッシュペーパーＴを空間部８に収容する必要もなく、ティッシュペーパーＴが入ったままポケットティッシュＰを収納でき、この収納や詰め替えが簡単に行える。
【００３１】
なお、この屈曲受板１７は必ずしも必要ではなく、外しておいても使用上支障はない。前記支持部材として輪ゴム１６を説明したが、該支持部材には他にゴム紐、コイル状に巻いた細い線材などの弾性索条やスポンジ状の板、軟弾性のゴム板がある。スポンジ状の板や軟弾性のゴム板は、例えば下板４の内面に突設するようにすれば良く、この場合は内枠体２が不要になる。
【００３２】
次に、複数個例えば２個のポケットティッシュＰ，Ｐを使用する場合を説明する。なお、ケース本体１の高さを長くすれば４個、５個又はそれ以上のポケットティッシュＰを収納できる。そこで、２個のポケットティッシュＰ，Ｐを使用する場合は、前記と同様に各ポケットティッシュＰの引出口Ｍを開けておき、これらポケットティッシュＰ，Ｐを図９に示すようにその一側面に開かれる引出口Ｍを山折して二つ折りした状態で重ねて空間部８に収納する。このとき、前記下側に位置するポケットティッシュＰの他側面に引出口Ｍに対応した谷折目線に沿って輪ゴム１６の上張部分１６ａが当接してその他側面側から支持し、上側に位置するポケットティッシュＰの引出口Ｍと対向する側にティッシュ取出口７が近づいて位置する。
【００３３】
この場合も、前記と同様に引出口Ｍと対向する側にティッシュ取出口７が設けられティッシュペーパーＴの折曲部位ｔが指先で容易に摘めるようになっているので、ティッシュペーパーＴを非常に摘み易い。よって、前記引出口Ｍがしっかり開くこともあって、ティッシュペーパーＴを指先で軽く摘んで一枚ずつ引き出せ簡単に取り出すことができる。
【００３４】
また、各ティッシュペーパーＴが少なくなってきた場合も、輪ゴム１６の上張部分１６ａの弾発性により各ポケットティッシュＰがティッシュ取出口７側へ付勢されて最後のティッシュペーパーＴまで簡単に取り出せるようになる。しかも、各ポケットティッシュＰは屈曲受板１７により受け止められるので、指先で押してもグラツキが少なくティッシュペーパーＴの取出動作が安定して行える。
【００３５】
両ポケットティッシュＰ，ＰのティッシュペーパーＴがなくなれば、新しい２個のポケットティッシュＰ，Ｐを初めのように引出口Ｍを開き二つ折りした状態でティッシュ取出口７を介してそのまま空間部８に収納する。よって、例えばティッシュペーパー入れＢの中からいちいちティッシュペーパーＴを取り出してこれらティッシュペーパーＴを空間部８に収容する必要もなく、ティッシュペーパーＴが入ったままポケットティッシュＰを収納でき、この収納や詰め替えが簡単に行える。
【００３６】
図１０乃至図１３は他の実施の形態に係るポケットティッシュケースを示すものである。図１０は他の実施の形態に係るポケットティッシュケースの斜視図、図１１は図１０のＺ−Ｚ線断面図である。このポケットティッシュケースＡ１は合成樹脂材により成形され、ケース本体２０と該ケース本体２０内に収められた屈曲受板２１とからなる。
【００３７】
前記ケース本体２０は外形が直方体形状をなし上面と下面が開放しており、その上面がティッシュ取出口２２とされる。そして、周囲の側板２３を構成する一対の長板部２３ａ，２３ａと一対の短板部２３ｂ，２３ｂとで囲われるようにして空間部２４が成形される。この空間部２４内に前記二つ折りし引出口Ｍを開けた状態の１個のポケットティッシュＰが収納される。このため、前記二つ折りした状態でポケットティッシュＰが収納されるように空間部２４の幅すなわち長板部２３ａ，２３ａ間の距離が設定される。
【００３８】
前記対向する一対の短板部２３ｂ，２３ｂには、そのほぼ中央の所定の高さ位置に略馬蹄形状の切欠溝２５，２５が開設され、前記と同じく両切欠溝２５，２５間に支持部材である弾性索条としての輪ゴム１６が掛止される。この場合、輪ゴム１６は水平面内すなわちケース本体２０上面のティッシュ取出口２２と平行な面内で張設される。該輪ゴム１６はケース本体２０の上面から所定の距離内側に離れて位置し、該上面とほぼ平行に配置される。前記屈曲受板２１は、本実施の形態の屈曲受板１７とほとんど同じ形状であるが、合成樹脂材により成形されている。また、この屈曲受板２１の谷折目線側の開き角度は、ケース本体２０内に収納するポケットティッシュＰによって適宜設定される。
【００３９】
他の実施の形態に係るポケットティッシュケースＡ１は上記構成からなり、次にその使用方法を説明する。まず、前記と同様にティッシュペーパーＴを収納した１個のポケットティッシュＰの一側面に設けられる引き剥がし線の両側を互いに反対方向へ引いて引出口Ｍを開く。この場合も、引出口Ｍの長手方向の両端部を少し大きく破断しておくことが好ましい。そして、その引出口Ｍを外側に位置させると共に該引出口Ｍを山折してポケットティッシュＰを二つ折りする。更に、このままの状態でポケットティッシュＰを該ティッシュ取出口２２を介しその引出口Ｍがティッシュ取出口２２側に位置するようにしてケース本体１内に収納する。
【００４０】
前記二つ折りされたポケットティッシュＰは、その他側面側から屈曲受板２１により受け止められる。このようにしてポケットティッシュＰを収納したポケットティッシュケースＡ１は、例えば室内の机の上に置いて使用される。
【００４１】
この場合も、図１２に示すように引出口Ｍと対向する側にティッシュ取出口２２が設けられティッシュペーパーＴの折曲部位ｔを指先で容易に摘めるようになっているので、ティッシュペーパーＴが非常に摘み易い。よって、前記引出口Ｍがしっかり開くこともあって、ティッシュペーパーＴを指先で軽く摘んで一枚ずつ引き出せ簡単に取り出すことができる。
【００４２】
また、ティッシュペーパーＴが少なくなってきた場合も、輪ゴム１６の弾発性によりポケットティッシュＰがティッシュ取出口２２側へ付勢されて最後のティッシュペーパーＴまで簡単に取り出せるようになる。しかも、ポケットティッシュＰは屈曲受板２２により受け止められるので、指先で押してもグラツキが少なくティッシュペーパーＴの取出動作が安定して行える。なお、この屈曲受板２１も必ずしも必要ではなく、外しておいても使用上支障はない。
【００４３】
次に、他の実施の形態に係るポケットティッシュケースＡ１において、複数個例えば２個のポケットティッシュＰを使用する場合を説明する。なお、この場合もケース本体２０の高さを長くすれば４個、５個又はそれ以上のポケットティッシュＰを収納できる。
【００４４】
そこで、２個のポケットティッシュＰ，Ｐを使用する場合は、前記と同様に各ポケットティッシュＰの引出口Ｍを開けておき、これらポケットティッシュＰ，Ｐを図１３に示すようにその一側面に開かれる引出口Ｍを山折して二つ折りした状態で重ねて空間部２４に収納する。このとき、前記下側に位置するポケットティッシュＰの他側面に引出口Ｍに対応した谷折目線に沿って輪ゴム１６が当接して受け止め、上側に位置するポケットティッシュＰの引出口Ｍと対向する側にティッシュ取出口２２が位置する。この場合輪ゴム１６は、ティッシュ取出口２２と平行な面内で張設されるので、２本の輪ゴム１６が屈曲受板２１を支持することになる。
【００４５】
この場合も、前記と同様に引出口Ｍと対向する側にティッシュ取出口２２が設けられティッシュペーパーＴの折曲部位ｔが指先で容易に摘めるようになっているので、ティッシュペーパーＴを非常に摘み易い。よって、前記引出口Ｍがしっかり開くこともあって、ティッシュペーパーＴを指先で軽く摘んで一枚ずつ引き出せ簡単に取り出すことができる。
【００４６】
また、各ティッシュペーパーＴが少なくなってきた場合も、輪ゴム１６の弾発性により各ポケットティッシュＰがティッシュ取出口２２側へ付勢されて最後のティッシュペーパーＴまで容易に取り出せるようになる。しかも、各ポケットティッシュＰは屈曲受板２１により受け止められるので、指先で押してもグラツキが少なくティッシュペーパーＴの取出動作が安定して行える。
【００４７】
両ポケットティッシュＰ，ＰのティッシュペーパーＴがなくなれば、新しい２個のポケットティッシュＰ，Ｐを初めのように引出口Ｍを開き二つ折りした状態でティッシュ取出口２２を介してそのまま空間部２４に収納する。よって、この場合もティッシュペーパー入れＢの中からいちいちティッシュペーパーＴを取り出してこれらティッシュペーパーＴを空間部２４に収容する必要もなく、ティッシュペーパーＴが入ったままポケットティッシュＰを収納でき、この収納や詰め替えが簡単に行える。
【００４８】
本発明に係るポケットティッシュケース又は他の実施の形態に係るポケットティッシュケースのいずれもケース本体１，２０の外周面の余白は、各種広告欄として利用でき有益である。
【図面の簡単な説明】
【００４９】
【図１】本発明に係るポケットティッシュケースの斜視図。
【図２】同分解斜視図。
【図３】図１のＸ−Ｘ線断面図。
【図４】図１のＹ−Ｙ線断面図。
【図５】ポケットティッシュを収納する状態を示す斜視図。
【図６】使用状態を示すポケットティッシュケースの縦断面図。
【図７】使用状態を示すポケットティッシュケースの横断面図。
【図８】使用状態を示すポケットティッシュケースの横断面図。
【図９】同２個のポケットティッシュを使用した状態を示す横断面図。
【図１０】他の実施の形態に係るポケットティッシュケースの斜視図。
【図１１】図１０のＺ−Ｚ線断面図。
【図１２】使用状態を示す他の実施の形態に係るポケットティッシュケースの横断面図。
【図１３】同２個のポケットティッシュを使用した状態を示す横断面図。
【符号の説明】
【００５０】
１                ケース本体
７                ティッシュ取出口
８                空間部
１６              支持部材（輪ゴム）
１７              屈曲受板
２０              ケース本体
２１              屈曲受板
２２              ティッシュ取出口
２４              空間部
Ａ                ポケットティッシュケース
Ａ１              ポケットティッシュケース
Ｍ                引出口
Ｐ                ポケットティッシュ
【図１】
2007223646.tif 000003
【図２】
2007223646.tif 000004
【図３】
2007223646.tif 000005
【図４】
2007223646.tif 000006
【図５】
2007223646.tif 000007
【図６】
2007223646.tif 000008
【図７】
2007223646.tif 000009
【図８】
2007223646.tif 000010
【図９】
2007223646.tif 000011
【図１０】
2007223646.tif 000012
【図１１】
2007223646.tif 000013
【図１２】
2007223646.tif 000014
【図１３】
2007223646.tif 000015